(57)【要約】【課題】  アクチュエータを構成するロータとセクタとを一体化したカメラ用セクタ駆動装置を提供することを課題とする。【解決手段】  カメラ用セクタ駆動装置は、コイル３ａが巻回されたステータ（３）と、コイル（３ａ）に通電することにより支軸（２ｂ）を支点として回動するロータ（４）と、支軸（２ｂ）とロータ（４）との間に介在する軸受け部（１０）と、ロータ（４）と一体であり、ロータ（４）の回動に伴って揺動する第一セクタ（５）とを備えている。ロータ（４）、軸受け部（１０）、第一セクタ（５）は、インサート成形により一体成形されている。【選択図】          図３
2006153915.tif 000002
【特許請求の範囲】
【請求項１】
コイルが巻回されたステータと、
前記コイルに通電することにより支軸を支点として回動するロータと、
前記支軸と前記ロータとの間に介在する軸受け部と、
前記ロータと一体であり、前記ロータの回動に伴って揺動するセクタ
とを備えたカメラ用セクタ駆動装置であって、
前記ロータと、前記軸受け部と、前記セクタとをインサート成形による一体成形としたことを特徴とするカメラ用セクタ駆動装置。
【請求項２】
前記セクタとの間に介在させた係合手段により、前記セクタの揺動に伴って揺動する従動セクタを有し、前記係合手段は、前記セクタに設けた係合ピンと、当該係合ピンと係合する前記従動セクタに設けた係合溝とからなり、前記係合ピンを前記ロータ、前記軸受け部及び前記セクタと共にインサート成形により一体成形したことを特徴とする請求項１に記載のカメラ用セクタ駆動装置。
【請求項３】
前記第一支軸を基板から立設し、当該基板と前記ロータとの間に介在させるスペーサを前記ロータと共にインサート成形により一体成形したことを特徴とする請求項１又は２記載のカメラ用セクタ駆動装置。
【発明の詳細な説明】
【技術分野】
【０００１】
本発明は、例えばシャッタ開口を開閉するカメラ用セクタ駆動装置に関する。
【背景技術】
【０００２】
従来、シャッタ開口を開閉等するカメラ用セクタ駆動装置は、アクチュエータによってセクタを駆動するのが一般的であるが、このようなアクチュエータは、コイルを備えたステータと、このコイルに通電することによって回動するロータを備えている。カメラ用セクタを二枚のセクタから構成した場合は、第一セクタをロータにより直接駆動してこれを揺動させ、一方の第二セクタは第一セクタに設けた係合ピンと係合する係合溝を設け、両者を係合させて第二セクタを揺動させる構成のものがある。
【０００３】
このような構成のカメラ用セクタ駆動装置は、特許文献１にも記載されている。ここで、特許文献１に記載されたカメラ用セクタ駆動装置では、ロータに相当する円環状の永久磁石をセクタ（シャッタ羽根）に固着している。すなわち、ロータとセクタとは元々は別体のものである。また、セクタに設けた係合ピン（連係ピン）は、セクタに植設した構成となっており、この係合ピンも元々はセクタとは別体の構造となっている。
【０００４】
【特許文献１】実開平３−１０８２０９号公報
【発明の開示】
【発明が解決しようとする課題】
【０００５】
しかしながら、前記特許文献１に記載したようなカメラ用セクタ駆動装置では、その製造工程において、セクタを成形した後、そのセクタにロータや係合ピンを取り付けなければならず、製造工程が煩雑となる。特に、カメラの薄型化、小型化が進み、カメラを構成する部品も小型化する今日においては、セクタを成形した後、そのセクタに他の部品を接着等することは非常に困難なことになってきている。
【０００６】
そこで本発明は、製造工程を簡略化することができるカメラ用セクタ駆動装置を提供することを課題とする。
【課題を解決するための手段】
【０００７】
かかる目的を達成するための本発明のカメラ用セクタ駆動装置は、コイルが巻回されたステータと、前記コイルに通電することにより支軸を支点として回動するロータと、前記支軸と前記ロータとの間に介在する軸受け部と、前記ロータと一体であり、前記ロータの回動に伴って揺動するセクタとを備えたカメラ用セクタ駆動装置であって、前記ロータと、前記軸受け部と、前記セクタとをインサート成形による一体成形としたことを特徴とする（請求項１）。
【０００８】
このような構成のカメラ用セクタ駆動装置とすれば、セクタ周辺の組み立て工程を大幅に簡略化することができ、カメラの薄型化、小型化に伴う部品の小型化にも対応することができる。
【０００９】
このようなカメラ用セクタ駆動装置では、前記セクタとの間に介在させた係合手段により、前記セクタの揺動に伴って揺動する従動セクタを有し、前記係合手段を、前記セクタに設けた係合ピンと、当該係合ピンと係合する前記従動セクタに設けた係合溝とから構成し、前記係合ピンを前記ロータ、前記軸受け部及び前記セクタと共にインサート成形により一体成形した構成とすることもできる（請求項２）。また、前記支軸を基板から立設し、当該基板と前記ロータとの間に介在させるスペーサを前記ロータ、前記軸受け部及び前記セクタと共にインサート成形により一体成形した構成とすることもできる（請求項３）。これは、完成品となったときにセクタと一体をなす構成要素については、インサート成形によって一体成形とする趣旨である。
【発明の効果】
【００１０】
本発明によれば、ロータと、軸受け部とセクタとをインサート成形により一体成形するようにしたので、製造工程におけるセクタへのロータや軸受け部の組み付け作業を廃止することができ、製造工程を簡略化できる。また、完成品としたときに、ロータや軸受けのセクタからの脱落を防止することができる。
【発明を実施するための最良の形態】
【００１１】
以下、本発明を実施するための最良の形態を図面と共に詳細に説明する。
【実施例】
【００１２】
図１及び図２は、本発明のカメラ用セクタ駆動装置１の平面図である。これらのうち、図１は、基板２に設けたシャッタ開口２ａを開いた状態、図２は、基板２に設けたシャッタ開口２ａを閉じた状態を示している。また、図３は、図１におけるＡ−Ａ線で断面とし、一部を拡大して示した拡大断面図である。
【００１３】
カメラ用セクタ駆動装置１は、シャッタ開口２ａ、第一支軸２ｂ、第二支軸２ｃが設けられた基板２に取り付けられているとともにコイル３ａが巻回されたステータ３と、このコイル３ａに通電することにより第一支軸２ｂを支点として回動するロータ４と、第一支軸２ｂとロータ４との間に介在する軸受け部１０と、ロータ４と一体であり、当該ロータ４の回動に伴って揺動する第一セクタ５と、第二支軸２ｃを支点として揺動する従動セクタとしての第二セクタ６を備えている。第一セクタ５には係合ピン７が設けられており、第二セクタ６には係合ピン７がスライドできるように係合する係合溝８が設けられている。これらの係合ピン７と係合溝８とが本発明における係合手段に相当し、第一セクタ５が揺動すると、これに伴って係合ピン７が係合溝８に沿ってスライドし、第二セクタ６を揺動させるようになっている。また、ロータ４と基板２との間にはロータ４をスムーズに回動させるためのスペーサ９を備えている。
【００１４】
上記のようなカメラ用セクタ駆動装置１における第一セクタ５と、ロータ４、係合ピン７、スペーサ９、軸受け部１０をインサート成形によって一体成形としている。以下、インサート成形の手順について説明する。
まず、円環状に成形した永久磁石からなるロータ４を周囲に空隙が形成されるように型内に収納する。その後、型内に樹脂を流し込んで、第一セクタ５、係合ピン７、スペーサ９、軸受け部１０を一体成形する。図４は、第一セクタ５の平面図であり、この図４中に表された構成要素が一体成形されている。
【００１５】
ステータ３やロータ４等を取り付ける基板２は、図３に示すように一段下がった段部１１を介して地板１３を有し、空間１２を形成している。地板１３にはステータ３が備えるコイル３ａの一部を逃がすことのできる逃げ穴１３ａが形成されている。また、第一支軸２ｂは地板１３上に形成されている。第二支軸２ｃは基板２上の所定の位置に設けられている。
【００１６】
以上のような基板２に、ステータ３、一体成形されたロータ４、第一セクタ５等、第二セクタ６を組み付ける。このとき、図３に示すように、ロータ４や、ステータ３の大部分が空間１２内に収容されるので、カメラ用セクタ駆動装置１を薄型に成形することができている。
【００１７】
上記実施例は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
例えば、前記実施例では、軸受け部１０やスペーサ９を第一セクタ５と同一の樹脂を用いて一体成形しているが、軸受け部１０やスペーサ９を耐摩耗性に優れたＰＯＭ等の他の材質のもので成形したい場合等には、インサート成形において二種以上の樹脂を流し込む二色成形を行うことができる。
【図面の簡単な説明】
【００１８】
【図１】本発明のカメラ用セクタ駆動装置の平面図であり、シャッタ開口を開いた状態を示すものである。
【図２】同じくカメラ用セクタ駆動装置の平面図であり、シャッタ開口を閉じた状態を示すものである。
【図３】図１におけるＡ−Ａ線で断面とし、一部を拡大した拡大断面図である。
【図４】一体成形した第一セクタの拡大した平面図である。
【符号の説明】
【００１９】
１  カメラ用セクタ駆動装置
２  基板
２ａ  シャッタ開口
２ｂ  第一支軸
２ｃ  第二支軸
３  ステータ
３ａ  コイル
４  ロータ
５  第一セクタ
６  第二セクタ
７  係合ピン
８  係合溝
９  スペーサ
１０  軸受け部
１１  段部
１２  空間
１３  地板
【図１】
2006153915.tif 000003
【図２】
2006153915.tif 000004
【図３】
2006153915.tif 000005
【図４】
2006153915.tif 000006